(57)【要約】【課題】簡単な手数で屋根補修時などに所要長さの止め材を屋根上の軒先近くに設置することができる屋根における落下物防止用受け金具を提供すること。【解決手段】縦部材２の一側に上下一対の横部材３、４がその相互間隔を屋根の軒先に介入させるに充分な間隔として張出されている金具本体１の前記横部材３、４の対向面にこの金具本体１を屋根の軒先に締め付け固定する固定部材５、６を設けるとともに、上側の横部材３の先端に落下物止め材用受け部７を設けてある。【選択図】  図１
2004244802.tif 000002
【特許請求の範囲】
【請求項１】
縦部材（２）  の一側に上下一対の横部材（３）  、（４）  がその相互間隔を屋根の軒先に介入させるに充分な間隔として張出されている金具本体（１）  の前記横部材（３）  、（４）  の対向面にこの金具本体（１）  を屋根の軒先に締め付け固定する固定部材（５）  、（６）  を設けるとともに、上側の横部材（３）  の先端に落下物止め材用受け部（７）  を設けたことを特徴とする屋根における落下物防止用受け金具。
【請求項２】
縦部材（２）  の一側に張出させている上側の横部材（３）  が、縦部材（２）  に上下移動自在に保持されている請求項１に記載の屋根における落下物防止用受け金具。
【発明の詳細な説明】
【０００１】
【発明の属する技術分野】
本発明は、屋根における落下物防止用受け金具に関するものである。
【０００２】
【従来の技術】
【非特許文献１】日本屋根経済新聞社発行「屋根知識」第１５０〜１５１頁（多雪地域の瓦施工）
【０００３】
例えば、屋根修理時などにおいては屋根上に補修用の部品や工具を置いて作業することが多いが、屋根は相当な勾配があるため、屋根上に置かれたものが滑落して地上の人や物に危害を加えるおそれがある。一般に屋根からの落下を防止するためのものとしては前記した非特許文献にも記載されているような雪止めが知られている。この雪止めには最近では雪止瓦が用いられているが、以前においては屋根上に角材などの止め材を針金やボルトで屋根上に固定してこれを雪止めとしていた。このように屋根上に角材などの止め棒を固定して屋根上の載置物が地上に滑落することを防止する常設タイプの屋根における落下物防止手段は古くから知られているが、角材などの止め材を屋根上に固定する手段が面倒なために固定式となり、屋根の外観を損なうものであり、屋根補修時などに一時的に止め材を屋根上に設置することは未だ考えられていない。
【０００４】
【発明が解決しようとする課題】
本発明が解決しようとするところは、前記したような従来の問題を解決して、屋根補修時などに一時的に所要長さの止め材を屋根上の軒先近くに設置することもできる屋根における落下物防止用受け金具を提供することにある。
【０００５】
【課題を解決するための手段】
前記のような課題を解決した本発明に係る落下物防止用受け金具は、縦部材の一側に上下一対の横部材がその相互間隔を屋根の軒先に介入させるに充分な間隔として張出されている金具本体の前記横部材の対向面にこの金具本体を屋根の軒先に締め付け固定する固定部材を設けるとともに、上側の横部材の先端に落下物止め棒用受け部を設けたことを特徴とするものである。
【０００６】
【発明の実施の形態】
以下、本発明の好ましい実施の形態について詳細に説明する。
１は縦部材２の一側に上下一対の横部材３、４をこの横部材３、４の相互間隔が屋根の軒先に介入させるに充分な間隔となるように張出させている金具本体である。図示例における金具本体１は縦部材２の下端に先端を上向きに屈曲した下側の横部材４を連設した金属棒材よりなる略Ｌ型部材と、その縦部材２に基部の短筒部３ａをもって余裕をもって遊嵌されて水平状態では縦部材２に沿って上下移動自在であるが、先端が下がった傾斜状態となると摺動が不能となって張出状態に保持される金属材よりなる上側の横部材３とよりなるものとしており、この上側の横部材３の先端には落下物止め棒用受け部７を設けてある。なお、このように縦部材２の一側に張出させている上側の横部材３が縦部材２に上下移動自在に保持させたものは軒先の厚みがどのようなものであっても対応できるので好ましいが、多くの屋根は軒先厚みが略等しいものが多いので、必ずしも上側の横部材３を上下移動自在とする必要はない。
【０００７】
そして、前記した金具本体１の横部材３、４の対向面には横部材３、４の間をもって金具本体１を屋根の軒先に介入させたときにこの金具本体１を軒先に締め付け固定するための固定部材５、６を設けてある。図示する固定部材５、６を詳細に説明すれば、上側の固定部材５は前記した上側の横部材３の先方部分に上下方向にねじ込まれた把手付きボルト５ａの下端にクッション５ｃ付きの押さえ座５ｂを設けたものであるのに対し、下側の固定部材６は前記した下側の横部材４に続く上向き部分４ａの先端にクッション６ｃ付きの受け座６ｂを設けたものとして、把手付きボルト５ａのねじ込みにより金具本体１を屋根の軒先に締め付け固定し、ねじ込みを解除すると簡単に押さえ座５ｂと受け座６ｂとの間隔を大きくして屋根の軒先から金具本体１を離脱できるようにしてある。
【０００８】
次に、本発明の屋根における落下物防止用受け金具の使用例を説明する。
屋根修理時などにおいては屋根上に補修用の部品や工具を置いて作業したいときには、本発明に係る落下物防止用受け金具の複数個を用意し、図示するように、屋根１１の軒先に所要間隔をおいて配置されるよう、各金具本体１の下側の横部材４が屋根樋１３と軒瓦１４との間で上側の横部材３が軒瓦１４の上方に位置させたうえ、横部材３の先方部分に上下方向にある把手付きボルト５ａをねじ込んで、この把手付きボルト５ａの下端にあるクッション５ｃ付きの押さえ座５ｂと、下側の横部材４に続く上向き部分４ａの先端にあるクッション６ｃ付きの受け座６ｂとにより軒先に挟持固定する。これにより屋根１１の軒先近くの上面には各金具本体１の上側の横部材３の先端に設けた落下物止め棒用受け部７が所要の間隔をおいて配置されるから、この複数の落下物止め棒用受け部７、７をストッパとして利用して屋根上の軒先近くに角材などの止め材１３を設けることができることとなり、このため、屋根上の載置物が何らかの理由で滑落しても前記した止め材１３により受け止められて地上に落下することを防ぐことができる。
【０００９】
しかして、使用後は止め材１３は簡単に取り除くことができるうえに、把手付きボルト５ａを逆回動することにより押さえ座５ｂと受け座６ｂとの間隔が拡がって金具本体１も簡単に取り外すことができるから、常設したもののように屋根の外観を損なうおそれは全くない。
【００１０】
本発明は前記説明から明らかなように、縦部材の一側に上下一対の横部材がその相互間隔を屋根の軒先に介入させるに充分な間隔として張出されている金具本体の前記横部材の対向面にこの金具本体を屋根の軒先に締め付け固定する固定部材を設けるとともに、上側の横部材の先端に落下物止め棒用受け部を設けたことにより、簡単な手数で屋根補修時などに所要長さの止め材を屋根上の軒先近くに設置することができることとなる。
従って、本発明は従来の屋根工事上の問題点を解決できる屋根における落下物防止用受け金具として業界に寄与するところ大きいものがある。
【図面の簡単な説明】
【図１】本発明の好ましい実施の形態の使用状態における部分拡大断面図である。
【図２】本発明の好ましい実施の形態の使用状態における部分拡大斜視図である。
【図３】本発明を使用した屋根の一部切欠斜視図である。
【符号の説明】
１  金具本体
２  縦部材
３  上側の横部材
４  下側の横部材
５  上側の固定部材
６  下側の固定部材
７  落下物止め材用受け部
【図１】
2004244802.tif 000003
【図２】
2004244802.tif 000004
【図３】
2004244802.tif 000005